(57)【要約】【課題】  エリア登録サーバのデータベースをリアルタイムに変更できるとともに無線通信の輻輳を抑制することができる移動通信システム、エリア登録サーバ、指令台、移動局及びエリア情報登録方法を提供する。【解決手段】  移動通信システム１は、発生した事案に出動する複数の移動局５０１〜５０Ｎから位置情報の送信を許可する代表移動局を選択する指令台１００と、複数の移動局５０１〜５０Ｎの移動局エリア情報３１１を登録し、代表移動局と同じ事案に出動中の移動局の移動局エリア情報３１１を、代表移動局の受信品質情報７００に基づいて更新するエリア登録サーバ３００と、を備えている。【選択図】      図１
2018196051.tif 000002
【特許請求の範囲】
【請求項１】
発生した事案に出動する複数の移動局から位置情報の送信を許可する代表移動局を選択する指令台と、
前記複数の移動局の移動局エリア情報を登録し、前記代表移動局と同じ事案に出動中の前記移動局の前記移動局エリア情報を前記代表移動局の受信品質情報に基づいて更新するエリア登録サーバと、
を有する移動通信システム。
【請求項２】
前記指令台は、前記事案を識別する事案番号を決定し、前記エリア登録サーバに前記事案番号を送信し、
前記エリア登録サーバは、前記移動局エリア情報に前記事案番号を登録する、請求項１に記載の移動通信システム。
【請求項３】
前記移動局エリア情報及び前記受信品質情報は、移動局番号を含み、
前記エリア登録サーバは、前記代表移動局の前記受信品質情報から移動局番号を抽出し、前記移動局番号に基づいて前記代表移動局のエリア情報を検索し、前記代表移動局の前記事案番号を抽出する、請求項１又は２に記載の移動通信システム。
【請求項４】
前記移動局エリア情報及び前記受信品質情報は、基地局番号を含み、
前記エリア登録サーバは、前記代表移動局と同じ事案に出動中の前記移動局の基地局番号を前記代表移動局の前記受信品質情報に含まれる基地局番号に基づいて更新する、請求項３に記載の移動通信システム。
【請求項５】
前記指令台は、前記事案に出動する前記複数の移動局のうち１台を前記代表移動局として選択する、請求項１から４のいずれか１項に記載の移動通信システム。
【請求項６】
前記指令台は、事案が終了した後、前記代表移動局以外の前記移動局に位置情報の送信を許可する通知を送信する、
請求項１から５のいずれか１項に記載の移動通信システム。
【請求項７】
事案に出動する複数の移動局を決定する出動指令部と、
前記複数の移動局から位置情報の送信を許可する代表移動局を選択する位置情報送信許可部と、
を有する指令台。
【請求項８】
発生した事案に出動する複数の移動局の移動局エリア情報を登録するデータベースと、
前記複数の移動局から選択され位置情報の送信が許可された代表移動局の受信品質情報に基づいて前記代表移動局と同じ事案に出動中の前記移動局の前記移動局の前記移動局エリア情報を更新するエリア情報更新部と、
を有するエリア登録サーバ。
【請求項９】
位置情報の送信可否を示す通知を受信し、前記位置情報を送信する通信部と、
前記通知によって前記位置情報の送信が許可されている場合、前記通信部に前記位置情報を送信させる制御部と、
を有する移動局。
【請求項１０】
発生した事案に出動する複数の移動局の移動局エリア情報を登録し、
前記複数の移動局から選択され位置情報の送信が許可された代表移動局の受信品質情報に基づいて前記代表移動局と同じ事案に出動中の前記移動局の前記移動局エリア情報を更新する、
エリア情報登録方法。
【発明の詳細な説明】
【技術分野】
【０００１】
本発明は、移動通信システム、エリア登録サーバ、指令台、移動局及びエリア情報登録方法に関し、特に、複数の移動局が送信する位置情報に基づいて移動局との通信に使用する基地局無線装置を選択する移動通信システム、エリア登録サーバ、指令台、移動局及びエリア情報登録方法に関する。
【背景技術】
【０００２】
消防救急業務に用いられる移動通信システムは、移動局からの位置情報を常時把握し、移動局が現状の基地局無線装置の運用エリアを移動して違う基地局無線装置の運用エリアに移動したことを把握するためのエリア登録サーバを備えている。この種の移動通信システムが特許文献１に開示されている。
【０００３】
特許文献１に開示されている移動通信システムでは、複数の基地局無線装置と通信可能な無線回線制御装置を備え、無線回線制御装置は、移動局が基地局無線装置と無線通信を行う度に基地局無線装置における受信電界レベルを含む通信品質情報を生成しエリア登録サーバに送信する。エリア登録サーバは、無線回線制御装置から通信品質情報を受信する情報入出力部と、情報入出力部で受信した通信品質情報に基づいて、受信電界レベルが最も高い基地局無線装置を、移動局との無線通信に最適な基地局無線装置として設定する情報管理部と、を有する。この情報管理部は、移動局による無線通信が行われる度に、情報入出力部で受信した通信品質情報に基づいて、最適な基地局無線装置として設定した基地局無線装置の受信電界レベルが閾値以上であるか否かを判定し、閾値以上である場合は、その基地局無線装置を最適な基地局無線装置とした設定を維持する。
【先行技術文献】
【特許文献】
【０００４】
【特許文献１】特開２０１４−３３３５３号公報
【発明の概要】
【発明が解決しようとする課題】
【０００５】
移動局からの位置情報を常時把握するため、消防車又は救急車に搭載された移動局は、操作者の手動操作により位置情報を送信するか、又は定期的に自動で位置情報を送信するよう構成されている。しかしながら手動操作方式の場合、通常、移動中に操作者がリアルタイムに手動操作をすることは難しい。また定期送信方式の場合、複数の移動局が現場に出動し、個々の移動局が頻繁に位置情報を送信することにより無線通信が輻輳するため、通常の音声通信ができなくなる。特許文献１には、エリア登録サーバのデータベースへの変更頻度を低く抑えて処理負荷を少なくする技術は開示されているが、移動局からの無線通信の輻輳を解決する構成は開示していない。
【０００６】
本発明の目的は、エリア登録サーバのデータベースをリアルタイムに変更できるとともに無線通信の輻輳を抑制することができる移動通信システム、エリア登録サーバ、指令台、移動局及びエリア情報登録方法を提供することにある。
【課題を解決するための手段】
【０００７】
本発明の一態様による移動通信システムは、発生した事案に出動する複数の移動局から位置情報の送信を許可する代表移動局を選択する指令台と、前記複数の移動局の移動局エリア情報を登録し、前記代表移動局と同じ事案に出動中の前記移動局の前記移動局エリア情報を前記代表移動局の受信品質情報に基づいて更新するエリア登録サーバと、を備えている。
【０００８】
本発明の一態様による指令台は、事案に出動する複数の移動局を決定する出動指令部と、前記複数の移動局から位置情報の送信を許可する代表移動局を選択する位置情報送信許可部を備えている。
【０００９】
本発明の一態様によるエリア登録サーバは、発生した事案に出動する複数の移動局の移動局エリア情報を登録するデータベースと、前記複数の移動局から選択され位置情報の送信が許可された代表移動局の受信品質情報を受信すると、前記代表移動局と同じ事案に出動中の前記移動局の前記移動局エリア情報を前記代表移動局の受信品質情報に基づいて更新するエリア情報更新部とを備えている。
【００１０】
本発明の一態様による移動局は、位置情報の送信可否を示す通知を受信し、前記位置情報を送信する通信部と、前記通知によって前記位置情報の送信が許可されている場合、前記通信部に前記位置情報を送信させる位置情報送信判断部と、を備えている。
【００１１】
本発明の一態様によるエリア情報登録方法は、発生した事案に出動する複数の移動局の移動局エリア情報を登録し、前記複数の移動局から選択され位置情報の送信が許可された代表移動局の受信品質情報を受信すると、前記代表移動局と同じ事案に出動中の前記移動局の前記移動局エリア情報を前記代表移動局の受信品質情報に基づいて更新する。
【発明の効果】
【００１２】
本発明によれば、エリア登録サーバのデータベースをリアルタイムに変更できるとともに無線通信の輻輳を抑制することができる。
【図面の簡単な説明】
【００１３】
【図１】図１は、第１の実施形態の構成を示すブロック図である。
【図２】図２は、第１の実施形態の移動局エリア情報の構成の一例を示す図である。
【図３】図３は、第１の実施形態の受信品質情報の構成の一例を示す図である。
【図４】図４は、図１の移動局の構成を示すブロック図である。
【図５】図５は、事案発生時の図１の指令台及びエリア登録サーバの事案発生時の動作を示すフローチャートである。
【図６】図６は、出動指令を受信した時の図１の移動局の動作を示すフローチャートである。
【図７】図７は、図１のエリア登録サーバの移動局エリア情報の更新動作を示すフローチャートである。
【発明を実施するための形態】
【００１４】
次に、本発明の実施形態について図面を参照して説明する。図１は、本発明の第１の実施形態である移動通信システム１の構成を示すシステム構成図である。本実施形態は、消防救急デジタル移動通信システム等に適用可能なものである。
【００１５】
図１に示すように、移動通信システム１は、指令台１００、無線回線制御装置２００と、エリア登録サーバ３００と、複数の基地局無線装置４０１〜４０３と、複数の移動局５０１〜５０Ｎを有する。
【００１６】
本実施形態の移動通信システムは、例えば、ＳＣＰＣ（Ｓｉｎｇｌｅ  Ｃｈａｎｎｅｌ  Ｐｅｒ  Ｃａｒｒｉｅｒ）方式によるデジタル無線通信技法を用いる。ＳＣＰＣ方式とは、１つの無線チャネルに対して、１つの搬送波（キャリア）周波数を割り当てる方式である。
【００１７】
指令台１００は、システム全体を管理し、移動局５０１〜５０Ｎへの無線通信を行う。消防救急の事案が発生した時、指令台１００の出動指令部１０１が出動させる複数の移動局を選択し出動指令を送信して移動局５０１〜５０Ｎを出動させる。移動局５０１〜５０Ｎは例えば移動局グループ６００として連携して運用エリア４０１Ａから事案現場６０１のある運用エリア４０２Ｂへ移動するものとする。
【００１８】
エリア登録サーバ３００は、各移動局について現在、移動局が運用エリアに存在している基地局や使用しているチャンネル番号や電界強度等の移動局エリア情報３１１を登録しているデータベース３０１とデータベース３０１に登録された移動局エリア情報３１１を更新するエリア情報更新部３０２と、から構成されている。
【００１９】
基地局無線装置４０１〜４０３は、無線通信が可能な範囲を規定した運用エリア４０１Ａ〜４０３Ａを備え、それぞれ運用エリア４０１Ａ〜４０３Ａ内の移動局と無線通信を行う。基地局無線装置４０１は運用エリア４０１Ａ、基地局無線装置４０２は運用エリア４０２Ａ、基地局無線装置４０３は運用エリア４０３Ａが無線通信可能な範囲である。基地局無線装置４０１〜４０３は、それぞれ運用エリア４０１Ａ〜４０３Ａ内の移動局間や移動局と指令台１００間の無線通信の中継を行う。基地局無線装置４０１〜４０３は、運用エリア４０１Ａ〜４０３Ａが互いに一部重なるように配置される。
【００２０】
図２は、第１の実施形態の移動局エリア情報の構成の一例を示す図である。図２に示すように、例えば、移動局エリア情報３１１は、移動局を識別するための移動局番号３２１と、出動中の事案を識別するための事案番号３２２と、移動局との無線通信に最適な最適基地局番号３２３と、移動局と通信するとき設定される設定チャンネル番号３２４と、基地局における受信電界の強度を示す電界強度３２５を含んでいる。
【００２１】
エリア情報更新部３０２は、基地局無線装置４０１〜４０３が移動局５０１〜５０Ｎからの無線通信を受信したとき無線回線制御装置２００から受信品質情報７００を受信する。図３は、第１の実施形態の受信品質情報７００の構成の一例を示す図である。図３に示すように受信品質情報７００は、例えば、受信した無線通信を発信した移動局を示す移動局番号７０１と、移動局からの無線通信を受信した基地局を示す基地局番号７０２と、受信した無線通信のチャンネルを示すチャンネル番号７０３と、無線通信を受信したときの電界強度７０４を含んでいる。
【００２２】
エリア情報更新部３０２は、無線回線制御装置２００から受信品質情報７００を受信すると受信品質情報７００に含まれている移動局番号７０１に基づいてデータベース３０１に登録されている移動局エリア情報３１１を検索する。エリア情報更新部３０２は、移動局番号が一致する移動局エリア情報３１１を抜き出して、受信品質情報７００の基地局番号７０２を移動局エリア情報３１１の最適基地局番号３２３に登録する。またエリア情報更新部３０２は、受信品質情報７００のチャンネル番号７０３を移動局エリア情報３１１の設定チャンネル番号３２４に登録する。またエリア情報更新部３０２は、受信品質情報７００の電界強度７０４を移動局エリア情報３１１の電界強度３２５に登録する。
【００２３】
例えば指令台１００が通信相手の移動局について選択する基地局及びチャンネルを無線回線制御装置２００に問い合わせると、無線回線制御装置２００は、エリア登録サーバ３００に問い合わせる。エリア登録サーバ３００では、エリア情報更新部３０２が、データベース３０１から通信相手の移動局と移動局番号３２１が一致した移動局エリア情報３１１に登録されている最適基地局番号３２３と、設定チャンネル番号３２４を取り出して無線回線制御装置２００に返信する。無線回線制御装置２００が、最適基地局番号３２３及び設定チャンネル番号３２４を指令台１００に返信すると、指令台１００は、最適基地局番号３２３と、設定チャンネル番号３２４に基づいて基地局無線装置を選択して無線通信を開始する。
【００２４】
図４は、図１の移動局の構成を示すブロック図である。図４は移動局５０１の構成を示しているが、他の移動局も同じ構成としてよい。移動局５０１は、携帯型無線機、可搬型無線機、車載型無線機などである。移動局５０１は、図４に示すように、操作部５１０、制御部５２０、通信部５３０、記憶部５４０を備えている。
【００２５】
操作部５１０は、操作者の操作によって移動局５０１が使用するチャンネル番号を変更したり、移動局５０１に無線通信を開始させたり、無線通信を停止させる指示を制御部５２０に出力することができる。
【００２６】
通信部５３０は、指令台１００との間や他の移動局と通信をするときに基地局無線装置４０１〜４０３へ無線を送信することができる。また通信部５３０は、指令台１００から位置情報の送信可否を示す通知を受信する。また通信部５３０は、指令台１００によって位置情報の送信が許可されていると判断した場合、位置情報を送信する。
【００２７】
制御部５２０は、通信部５３０および記憶部５４０を制御する。制御部５２０は、指令台１００からの位置情報送信可否を示す通知によって位置情報の送信が許可されている場合、通信部５３０に位置情報を送信させる。
【００２８】
また記憶部５４０には、自移動局を識別するための移動局番号５４１と、現在の設定されているチャンネル番号５４２とが登録されている。また移動局５０１が位置情報を送信することが許可された移動局である場合、記憶部５４０には、位置情報送信許可５４３が登録されている。
【００２９】
図５は、事案発生時の図１の指令台及びエリア登録サーバの事案発生時の動作を示すフローチャートである。図５に示すように、消防救急業務での運用では、事案発生した時、まず、指令台１００の出動指令部１０１は、出動指令部１０１により事案を管理するための事案番号と出動する移動局５０１〜５０Ｎを示す移動局番号を決定する（ステップＳ１）。そして指令台１００の出動指令部１０１は、出動する移動局及び事案番号をエリア登録サーバ３００に送信する（ステップＳ２）。
【００３０】
エリア登録サーバ３００は、データベース３０１に登録されている移動局エリア情報３１１から、受信した移動局番号の移動局エリア３１１を検索する（ステップＳ３）。
【００３１】
エリア登録サーバ３００は、検索された移動局エリア情報３１１の事案番号３２２を、指令台１００から受信した事案番号に更新する（ステップＳ４）。またエリア登録サーバ３００は指令台１００に、検索された移動局エリア情報に登録されている最適基地局番号３２３、設定チャンネル番号３２４、電界強度３２５を回答する（ステップＳ５）。出動するすべての移動局についてステップＳ４、Ｓ５の処理を終了したか判断し（ステップＳ６）、処理していない移動局があれば、ステップＳ３に戻る。
【００３２】
出動するすべての移動局についてステップＳ４、Ｓ５の処理が終了していれば、指令台１００の位置情報送信許可部１０２は、位置情報の送信を許可する代表移動局を選択する（ステップＳ７）。位置情報送信許可部１０２は、例えば代表移動局を１台のみに絞ってもよい。位置情報送信許可部１０２が代表移動局を選択する方法はいくつか考えられる。例えば位置情報送信許可部１０２は、電界強度３２５が最も高い１台を代表移動局として選択してもよいし、指令台１００に操作部を備え、位置情報送信許可部１０２は、操作者の操作に基づいて代表移動局を選択してもよい。出動指令部１０１は、出動する移動局に、出動指令を送信し、また位置情報送信許可部１０２は、位置情報の送信可否を示す通知を送信する（ステップＳ８）。なお位置情報送信許可部１０２は、位置情報送信可否を示す通知をすべての移動局に送信するが、位置情報送信可否を示す通知の通信先移動局番号は代表移動局の移動局番号とされている。このことで、位置情報送信許可部１０２は、代表移動局のみに、位置情報を送信することを許可する。
【００３３】
なお、位置情報送信許可部１０２は、図５に示すように、火災が鎮火したなど、事案が終了した後には、通常の運用のように、すべての移動局に、位置情報の定期的な送信を許可する指令を送信する（ステップＳ９）。
【００３４】
図６は、図１の移動局の出動指令受信時の動作を示すフローチャートである。移動局５０１〜５０Ｎは、移動局グループ６００として連携して事案現場６０１のある基地局無線装置４０２の運用エリア４０２Ａへ移動する。移動局５０１〜５０Ｎは、事案が発生し出動する移動局に選択されると出動指令及び位置情報送信可否を示す通知を指令台１００から受信する（ステップＳ１０）。移動局５０１〜５０Ｎは、出動指令及び位置情報送信可否を示す通知を受信すると位置情報の送信が許可されたか判断する（ステップＳ１１）。例えば移動局５０１〜５０Ｎは、位置情報送信可否を示す通知の通信先移動局番号が移動局内の記憶部５４０の移動局番号５４１と同じ場合は位置情報の送信が許可されたと判断し、通信先移動局番号が移動局の記憶部５４０内の移動局番号５４１と違う場合は、位置情報の送信は許可されていないと判断する。
【００３５】
ステップＳ１１において位置情報の送信が許可された場合は、移動局５０１〜５０Ｎは、位置情報送信許可５４３を記憶部５４０に登録する（ステップＳ１２）。そして移動局５０１〜５０Ｎは、定期的に位置情報を測定し、測定してえられた位置情報を送信する（ステップＳ１３）。
【００３６】
ステップＳ１１において位置情報の送信が許可されていない場合は、位置情報送信許可５４３が記憶部５４０に登録されているか判断し（ステップＳ１４）、位置情報送信許可が記憶部５４０に登録されていたら削除する（ステップＳ１５）、そして移動局は、定期的な位置情報送信は中止する（ステップＳ１６）。位置情報送信許可５４３が記憶部５４０に登録されていなければ、定期的な位置情報送信は行わないままとする。
【００３７】
図７は、図１のエリア登録サーバの移動局エリア情報の更新動作を示すフローチャートである。エリア登録サーバ３００は、代表移動局が位置情報を送信するとその受信品質情報を無線回線制御装置２００から受信する（ステップＳ２０）。エリア情報更新部３０２は、データベース３０１に登録されている移動局エリア情報３１１を検索し、受信した代表移動局の受信品質情報７００から代表移動局の移動局番号７０１、基地局番号７０２、チャンネル番号７０３、及び電界強度７０４を抽出する（ステップＳ２１）。次にエリア情報更新部３０２は、データベース３０１に登録されている移動局エリア情報３１１から、抽出した移動局番号３２１に基づいて代表移動局の移動局エリア情報３１１を検索し、代表移動局の事案番号３２２を抽出する（ステップＳ２２）。
【００３８】
そしてエリア情報更新部３０２は、データベース３０１に登録されている移動局エリア情報３１１から、代表移動局と同じ事案番号３２２を含む移動局エリア情報３１１を検索する（ステップＳ２３）。エリア情報更新部３０２は、移動局エリア情報３１１の最適基地局番号３２３を、代表移動局の受信品質情報の基地局番号７０２に更新する。またエリア情報更新部３０２は、設定チャンネル番号３２４を、受信した代表移動局の受信品質情報のチャンネル番号７０３に更新する。またエリア情報更新部３０２は、電界強度３２５を、受信した代表移動局の受信品質情報の電界強度７０４に更新する（ステップＳ２４）。
【００３９】
エリア情報更新部３０２は、代表移動局と同じ事案番号の移動局エリア情報をすべて更新したか判断し（ステップＳ２５）、更新していないものがあれば、ステップＳ２３に戻る。エリア情報更新部３０２は、すべて更新していれば処理を完了する。
【００４０】
以上説明したように本実施形態によれば、事案現場への出動中に移動局が位置情報通知をする手間が不要で、またすべての移動局からの頻繁な位置情報通知による輻輳もなく、緊急性の高い消防救急業務において短時間で確実な通話が可能になる。
【００４１】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００４２】
１    移動通信システム
１００    指令台
１０１    出動指令部
１０２    位置情報送信許可部
２００    無線回線制御装置
３００    エリア登録サーバ
３０１    データベース
３０２    エリア情報更新部
３１１    移動局エリア情報
３２１    移動局番号
３２２    事案番号
３２３    最適基地局番号
３２４    設定チャンネル番号
３２５    電界強度
４０１、４０２、４０３    基地局無線装置
４０１Ａ、４０２Ａ、４０３Ａ    運用エリア
５０１〜５０Ｎ    移動局
５１０    操作部
５２０    制御部
５３０    通信部
５４０    記憶部
５４１    移動局番号
５４２    チャンネル番号
５４３    位置情報送信許可
６００    移動局グループ
６０１    事案現場
７００    受信品質情報
７０１    移動局番号
７０２    基地局番号
７０３    チャンネル番号
７０４    電界強度
【図１】
2018196051.tif 000003
【図２】
2018196051.tif 000004
【図３】
2018196051.tif 000005
【図４】
2018196051.tif 000006
【図５】
2018196051.tif 000007
【図６】
2018196051.tif 000008
【図７】
2018196051.tif 000009